(57)【要約】【課題】縦材側に横材を引き寄せる力を発生できる木造建築用連結金物を提供すること。【解決手段】縦材と横材を連結する木造建築用連結金物であって、縦材側面に止める基本金物と、横材端面側に止める付属金物を有し、横材端面に収容溝を上下に形成し、収容溝奥から横材にラグスクリューをネジ込み、付属金物はラグスクリューに止めるＴ字状のブロックであり、収容溝奥に配置する第二レールと、第二レールの縦材側から左右に延びる係止片を有し、基本金物はＴ字状の第一ブロックと二枚のコ字状の側板と底板をネジ止めすることによって、係止片を落とし込む有底筒形に形成し且つ第二レールをスライド式に落とし込むガイド溝を反縦材側に形成し、縦材付きの基本金物の上から横材付きの付属金物を落とし込んで係止片と被係止片の間に隙間を形成し、隙間に楔を打ち込むと係止片が相対的に縦材側に引き寄せられる。【選択図】      図１
2005273386.tif 000002
【特許請求の範囲】
【請求項１】
縦材（１）の側面と横材（３）の端面との突き合わせ箇所に収容されると共に、縦材（１）と横材（３）を連結する木造建築用連結金物であって、
縦材（１）の側面に固定する基本金物（２）と、横材（３）の端面側に固定する付属金物（４）とからなり、
横材（３）にはその端面横幅中央部に収容溝（２７）を上下に沿って形成し、収容溝（２７）の奥から横材内にラグスクリュー（３３）をネジ込み、
付属金物（４）は、収容溝（２７）の奥に収容されると共にラグスクリュー（３３）にネジ止めされる平面視Ｔ字状のブロックであって、収容溝（２７）の奥の横幅中央部に配置する第二レール（２９）と、第二レール（２９）の縦材側から左右に延びる係止片（３０）とからなり、
基本金物（２）は、縦材に止める平面視Ｔ字状の第一ブロック（７）と、二枚のコ字状の側板（８）と、底板（９）をネジ止めして一体化することによって、係止片（３０）を落とし込む有底筒形に形成すると共に、第二レール（２９）をスライド式に落とし込むガイド溝（１１）を反縦材側に形成したもので、
第一ブロック（７）は、縦材（１）の横幅中央部に配置する第一レール（１２）と、第一レール（１２）の反縦材側から左右に延びる止め片（１３）とからなり、
側板（８）は、止め片（１３）の側方を覆うと共に止め片（１３）よりも反縦材側に延びる側方片（１９）と、側方片（１９）の一端に連続し且つ止め片（１３）の縦材側を覆う突片（２０）と、側方片（１９）の他端に連続し且つガイド溝（１１）の側方に延びる被係止片（２１）とからなり、
縦材（１）に付けた基本金物（２）の上方から、横材（３）に付けた付属金物（４）をガイド溝（１１）に沿って落とし込んだ場合に、係止片（３０）と被係止片（２１）の間に隙間（３５）を形成し、隙間（３５）に楔（３７）を打ち込むことによって係止片（３０）が相対的に縦材側に引き寄せられることを特徴とする木造建築用連結金物。
【請求項２】
凸部（１５）とその凸部（１５）が嵌る凹部（３１）のうち一方を基本金物（２）の止め片（１３）に、他方を付属金物（４）の係止片（３０）に形成し、係止片（３０）と被係止片（２１）の間の隙間（３５）に楔（３７）を打ち込むことよって、係止片（３０）が相対的に縦材側に引き寄せられた際に、凹部（３１）と凸部（１５）が嵌り合うことを特徴とする請求項１記載の木造建築用連結金物。
【発明の詳細な説明】
【技術分野】
【０００１】
本発明は、縦材（柱、梁、桁等）と横材（梁、桁等）を連結する木造建築用連結金物に関する。
【背景技術】
【０００２】
縦材と横材を連結する木造建築用連結金物としては、柱に連結金物を予め固定しておき、その連結金物に対して梁を落とし込むことによって、梁の端面にあけたスリットに連結金物の接合板を差し込み、また、接合板のＵ字状の受け穴に対して、梁に打ち込んだ留め具を引っ掛けるものが知られている。
【特許文献１】特開平１０−３３１２６０号公報
【０００３】
また、上述した連結金物は、最終的には、柱に固定した連結金物の接合板の抜穴に、梁の側面からボルトを通すことによって、梁を柱に連結するが、単にボルトを通してあるだけなので、梁を柱側に引きつける力は殆どない。従って、連結強度を向上させるには、梁（横材）を柱（縦材）側に引きつける力を発生させることが望ましい。
【発明の開示】
【発明が解決しようとする課題】
【０００４】
本発明は上記実情を考慮して開発されたもので、その目的は、縦材側に横材を引き寄せる力を発生できる木造建築用連結金物を提供することである。
【課題を解決するための手段】
【０００５】
本発明は、縦材の側面と横材の端面との突き合わせ箇所に収容されると共に、縦材と横材を連結する木造建築用連結金物であって、縦材の側面に固定する基本金物と、横材の端面側に固定する付属金物とからなるものを前提とする。
【０００６】
そして、請求項１の発明は、横材にはその端面横幅中央部に収容溝を上下に沿って形成し、収容溝の奥から横材内にラグスクリューをネジ込み、付属金物は、収容溝の奥に収容されると共にラグスクリューにネジ止めされる平面視Ｔ字状のブロックであって、収容溝の奥の横幅中央部に配置する第二レールと、第二レールの縦材側から左右に延びる係止片とからなり、基本金物は、縦材に止める平面視Ｔ字状の第一ブロックと、二枚のコ字状の側板と、底板をネジ止めして一体化することによって、係止片を落とし込む有底筒形に形成すると共に、第二レールをスライド式に落とし込むガイド溝を反縦材側に形成したもので、第一ブロックは、縦材の横幅中央部に配置する第一レールと、第一レールの反縦材側から左右に延びる止め片とからなり、側板は、止め片の側方を覆うと共に止め片よりも反縦材側に延びる側方片と、側方片の一端に連続し且つ止め片の縦材側を覆う突片と、側方片の他端に連続し且つガイド溝の側方に延びる被係止片とからなり、縦材に付けた基本金物の上方から、横材に付けた付属金物をガイド溝に沿って落とし込んだ場合に、係止片と被係止片の間に隙間を形成し、隙間に楔を打ち込むことによって係止片が相対的に縦材側に引き寄せられることを特徴とする。
【０００７】
楔を打ち込んだときに、基本金物の止め片と付属金物の係止片の間には隙間が形成されようが、密着していようが問わないが、隙間が形成された場合には、地震などで楔の打ち込みが緩くなりガタが生じたときに、より大きな楔を打ち込むことによって、その隙間分だけガタツキを解消できる。また、楔を打ち込んだときに、止め片と係止片とは単に密着するだけであってもよいが、止め片と係止片を部分的に噛み合わせれば、上下方向に移動不能に連結される。それには、請求項２の発明のように、凸部とその凸部が嵌る凹部のうち一方を基本金物の止め片に、他方を付属金物の係止片に形成し、係止片と被係止片の間の隙間に楔を打ち込むことよって、係止片が相対的に縦材側に引き寄せられた際に、凹部と凸部が嵌り合うことが望ましい。
【発明の効果】
【０００８】
請求項１の発明は、基本金物を有底筒状に組み立てるときには、第一ブロックと側板と底板をネジ止めするだけで良いので、作業が簡単である。また、縦材と横材の連結時には、縦材に付いた基本金物の上に横材の付いた付属金物を落とし込み、楔を打ち込むだけでよいので、連結作業も簡単である。さらに、隙間に楔を打ち込むことによって係止片が相対的に縦材側に引き寄せられることによって、縦材の側面に横材端面が押し付けられて連結金物による縦材と横材の連結強度が向上する。
【０００９】
請求項２の発明は、凹部と凸部が噛み合って基本金物と付属金物が上下に移動不能に連結するので、連結金物を介した縦材と横材の連結強度が向上する。
【発明を実施するための最良の形態】
【００１０】
本発明の木造建築用連結金物の第一例は図１に示すように、縦材１の側面に固定する基本金物２と、横材３の端面内に収容される付属金物４とからなる。
【００１１】
基本金物２をボルト止めする縦材１は図４（ハ）、図７（イ）に示すように、側面にはボルト止め用の貫通穴５をあけると共に、貫通穴５の反対面側をザグリ６としてある。
【００１２】
基本金物２は図１〜図３に示すように、縦材１の側面にボルトでネジ止めする平面視Ｔ字状の第一ブロック７と、二枚のコ字状の側板８と、底板９と、天板１０とからなる。そして、第一ブロック７と二枚の側板８と底板９をネジ止めして一体化して有底筒状に形成すると共に、付属金物４を落とし込むガイド溝１１を、反縦材側の横幅中央部に上下に沿って形成してある。また、有底筒状の内部に付属金物４を落とし込んだ後には、天板１０を第一ブロック７にネジ止めすると共に、天板１０及び底板９を付属金物４にもネジ止めする。
【００１３】
第一ブロック７は、縦材１の横幅中央部に配置する第一レール１２と、第一レール１２の反縦材側から左右に延びる止め片１３とからなる。止め片１３はその反縦材側面には、複数の抜穴１４をザグリ状に形成すると共に、そのザグリ状の抜穴１４から縦材の貫通穴５にボルトをねじ込んでナットで止める。また、止め片１３は、その反縦材側面には噛み合い用の凸部１５を設けると共に、その側面には側板８をネジ止めするための貫通穴１６をあけてある。さらに、止め片１３の上下には、天板１０と底板９をネジ止めするためのネジ穴１７，１８をあけてある。
【００１４】
二枚の側板８は、止め片１３の側方を覆うと共に止め片１３よりも反縦材側に延びる側方片１９と、側方片１９の一端に連続し且つ止め片１３の縦材側を覆う突片２０と、側方片１９の他端に連続し且つガイド溝１１の側方に延びる被係止片２１とで全体として平面視コ字状に形成してある。被係止片２１はその内面（反縦材側面）を下に向かうにつれて縦材側に近づく傾斜面に形成してある（図１では、被係止片２１の上辺と下辺の前後幅が異なることを寸法線で強調してある）。また、止め片１３側面の貫通穴１６に対応する位置には、一方の側板８には、さらもみ状の抜穴２２を、他方の側板８にはネジ穴２３を形成し、ネジ止めによって二枚の側板８と第一ブロック７を一体化する。
【００１５】
底板９及び天板１０には抜穴２４をあけ、その抜穴２４から第一ブロック７の上下のネジ穴１７，１８、及び付属金物４の上下のネジ穴２５，２６にネジを通して止める。
【００１６】
付属金物４を止める横材３は図１、図４、図７に示すように、その端面横幅中央部に収容溝２７を上下に貫通して形成してある。また、収容溝２７の底には横幅方向中央部にラグスクリュー用の埋め込み穴２８をあけてある。収容溝２７及び埋め込み穴２８及び縦材１の各種穴は丸鋸、ドリルの切削工具で簡単にあけることができる。
【００１７】
付属金物４は図１，図５、図８に示すように、平面視Ｔ字状のブロックであって、収容溝２７の奥の横幅中央部に配置する第二レール２９と、第二レール２９の縦材側から左右に延びる係止片３０とからなる。第二レール２９は、その上下に前述した天板用、底板用のネジ穴２５，２６をあけると共に、その縦材側面には、凸部１５に噛み合う凹部３１を設けると共に別の箇所にザグリ状の抜穴３２をあけ、横材３の埋め込み穴２８にねじ込んだラグスクリュー３３に向かってそのザグリ状の抜穴３２からボルトをねじ込んで止める。なお、ラグスクリュー３３は図４（ニ）に示すように、その外側に雄ネジを形成すると共に、内側には雌ネジを形成してあり、雌ネジに仮のボルトをねじ込んだ状態でネジ止め工具に取り付けて、横材３の埋め込み穴２８にラグスクリュー３３を埋め込み、その後、仮のボルトを外す。
【００１８】
なお、上述したボルトやネジからなる留め具は、頭部に工具を差し込むもの（六角穴付きや十字穴付きのもの）を用いることによって、頭部を各部品の内部に収容できる。
【００１９】
上述した連結金物は以下の要領で使用する。まず基本金物２について図１、図４（イ）（ロ）に示すように、第一ブロック７と二枚の側板８をネジ止めすると共に、第一ブロック７の底に底板９をネジ止めして、反縦材側にガイド溝１１の付いた有底筒形に一体化する。続いて、図１、図４（ハ）（ニ）に示すように、有底筒形に組んだ基本金物２をガイド溝１１側からボルトを通して縦材１にナットで止める。なお、図４（ハ）では、ガイド溝１１の横幅がボルトの頭部よりも狭くなっているので、ボルトの頭部を通す切り欠き３４をガイド溝１１の両側に設けてある。また、横材３の埋め込み穴２８にラグスクリュー３３をねじ込むと共に、そのラグスクリュー３３に付属金物４をボルト止めすると、図５（イ）に示すように、収容溝２７の幅中央部に付属金物４が配置され、係止片３０が収容溝２７の底から離れ、その離れた分を利用して付属金物４を基本金物２の内部に落とし込めるようにしてある。
【００２０】
続いて、図２（イ）、図７（イ）に示すように二本の縦材１間に横材３を連結するために、基本金物２の付いた縦材１を僅かに外側に傾けて、横材３に付いた付属金物４を基本金物２の真上に配置して、ガイド溝１１に沿って降ろす。このとき縦材１の傾き具合によっては、被係止片２１の傾斜する内面の上を係止片３０が滑るようにして、付属金物４が基本金物２の内部に落ち込む。そうすると、図２（ロ）、図５（ロ）、図７（ロ）に示すように、底板９の上に付属金物４が載って、凹部３１と凸部１５が向かい合う状態となると共に、係止片３０と被係止片２１の間に側面視三角状の隙間３５が形成され、また、縦材１の側面と横材３の端面との間に僅かなギャップ３６があり、そのギャップ分だけガタツキが生じている状態となる。そして、側面視三角状の隙間３５に一回り大きな楔３７を打ち込むと、被係止片２１の傾斜に沿って滑らかに楔３７が圧入され、図３（イ）、図５（ハ）、図８（イ）に示すように、相対的に横材３が縦材１側に引き寄せられガタツキがなくなって、縦材１の側面に横材３の端面が押し当てられて強固に連結すると共に、凹部３１と凸部１５が噛み合って付属金物４と基本金物２が上下に移動不能に連結する。最後に、図３（イ）、図６（イ）、図８（イ）に示すように、基本金物２の第一ブロック７と付属金物４の上に天板１０をネジ止めすると、図３（ロ）、図６（ロ）、図８（ロ）に示すように、基本金物２と付属金物４が強固に一体化する。また、基本金物２と付属金物４は縦材１と横材３の内部に収容されるので、体裁が良くなる。
【００２１】
本発明は上記実施形態に限定されない。例えば、縦材への第一ブロックの止め方は、縦材に直にボルト止めする構造に限らず、他の構造、一例としては、縦材に別のラグスクリューをねじ込み、そのラグスクリューの端面の雌ネジ穴に第一ブロックをねじ込む構造等であっても良い。
【図面の簡単な説明】
【００２２】
【図１】本発明の木造建築用連結金物の使用手順の初期段階を示す斜視図である。
【図２】（イ）（ロ）図は、木造建築用連結金物の使用手順の前半部分を示す斜視図である。
【図３】（イ）（ロ）図は、木造建築用連結金物の使用手順の後半部分を示す斜視図である。
【図４】（イ）（ロ）（ハ）（ニ）図は、連結金物の使用手順の前半部分を示す平面図である。
【図５】（イ）（ロ）（ハ）図は、連結金物の使用手順の中間部分を示す平面図である。
【図６】（イ）（ロ）図は、連結金物の使用手順の後半部分を示す平面図である。
【図７】（イ）（ロ）図は、連結金物の使用手順の前半部分を示す側面図である。
【図８】（イ）（ロ）図は、連結金物の使用手順の後半部分を示す側面図である。
【符号の説明】
【００２３】
１  縦材
２  基本金物
３  横材
４  付属金物
７  第一ブロック
８  側板
９  底板
１１  ガイド溝
１２  第一レール
１３  止め片
１５  凸部
１９  側方片
２０  突片
２１  被係止片
２７  収容溝
２９  第二レール
３０  係止片
３１  凹部
３３  ラグスクリュー
３５  隙間
３７  楔
【図１】
2005273386.tif 000003
【図２】
2005273386.tif 000004
【図３】
2005273386.tif 000005
【図４】
2005273386.tif 000006
【図５】
2005273386.tif 000007
【図６】
2005273386.tif 000008
【図７】
2005273386.tif 000009
【図８】
2005273386.tif 000010